(57)【要約】【課題】下りバースト領域において未使用のスロットの数を抑制することが可能な技術を提供する。【解決手段】複数の参照値は、それぞれが、一つのメジャーグループを構成するサブチャネルあるいは番号が連続する複数のメジャーグループを構成するサブチャネルの数と一致し、さらに互いに異なった値となるように定められている。バースト領域割り当て部１６は、複数の参照値のうちのある参照値であって、一つの下りバースト領域でデータを送信する際の必要スロット数を当該ある参照値で除算したときの余りが零となる参照値が複数の参照値の間で存在する場合には、当該余りが零となる参照値と同じ数のサブチャネルで構成された少なくとも一つのメジャーグループだけを占めるように、当該一つの下りバースト領域を下りサブフレーム内に割り当てる。【選択図】図２
2010154065.tif 000002
【特許請求の範囲】
【請求項１】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、
時間−サブチャネル平面上で定義される下りサブフレーム内に少なくとも一つの下りバースト領域を割り当てるバースト領域割り当て部と、
前記バースト領域割り当て部が下りサブフレーム内に割り当てた下りバースト領域を用いてデータを送信する送信部と
を備え、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
前記バースト領域割り当て部は、時間−サブチャネル平面上で下りバースト領域が矩形となるように、スロット単位かつメジャーグループ単位で当該下りバースト領域を下りサブフレーム内に割り当て、
前記バースト領域割り当て部が下りサブフレーム内に下りバースト領域を割り当てる際に使用する複数の参照値が定められており、
前記複数の参照値は、それぞれが、一つのメジャーグループを構成するサブキャリアあるいは番号が連続する複数のメジャーグループを構成するサブキャリアの数と一致し、さらに互いに異なった値となるように定められており、
前記バースト領域割り当て部は、
前記複数の参照値のうちのある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、
当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる、基地局。
【請求項２】
請求項１に記載の基地局であって、
前記バースト領域割り当て部は、
前記複数の参照値のうちのある参照値であって、一つの下りバースト領域でデータを送信する際に必要なスロット数を当該ある参照値で除算したときの余りが零となる参照値が前記複数の参照値の間で複数存在する場合には、それらのうちの最も大きい参照値と同数のサブチャネルで構成された少なくとも一つのメジャーグループだけを占めるように当該一つの下りバースト領域を下りサブフレーム内に割り当て、
当該余りが零となる参照値が前記複数の参照値の間で存在しない場合において、前記複数の参照値のうちのある参照値であって、前記必要なスロット数を当該ある参照値で除算したときの余りを当該参照値から差し引いて得られる値が前記複数の参照値の間で最も小さくなる参照値が前記複数の参照値の間で複数存在する際には、それらのうちの最も大きい参照値と同数のサブチャネルで構成された少なくとも一つのメジャーグループだけを占めるように当該一つの下りバースト領域を下りサブフレーム内に割り当てる、基地局。
【請求項３】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、
時間−サブチャネル平面上で定義される下りサブフレーム内に少なくとも一つの下りバースト領域を割り当てるバースト領域割り当て部と、
前記バースト領域割り当て部が下りサブフレーム内に割り当てた下りバースト領域を用いてデータを送信する送信部と
を備え、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
前記バースト領域割り当て部は、時間−サブチャネル平面上で下りバースト領域が矩形となるように、スロット単位かつメジャーグループ単位で当該下りバースト領域を下りサブフレーム内に割り当て、
前記バースト領域割り当て部が下りサブフレーム内に下りバースト領域を割り当てる際に使用する複数の参照値が定められており、
前記複数の参照値は、それぞれが、一つのメジャーグループを構成するサブキャリアあるいは番号が連続する複数のメジャーグループを構成するサブキャリアの数と一致し、かつ互いに異なった値となるように定められており、
前記バースト領域割り当て部は、
前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、
当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる、基地局。
【請求項４】
請求項３に記載の基地局であって、
前記バースト領域割り当て部は、
前記複数の参照値のうちのある参照値であって、当該ある参照値の倍数値が一つの下りバースト領域でデータを送信する際に必要なスロット数と一致する参照値が前記複数の参照値の間で複数存在する場合には、それらのうちの最も大きい参照値と同数のサブチャネルで構成された少なくとも一つのメジャーグループだけを占めるように当該一つの下りバースト領域を下りサブフレーム内に割り当て、
当該一致する参照値が前記複数の参照値の間で存在しない場合において、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値が前記複数の参照値の間で複数存在する際には、それらのうちの最も大きい参照値と同数のサブチャネルで構成された少なくとも一つのメジャーグループだけを占めるように当該一つの下りバースト領域を下りサブフレーム内に割り当てる、基地局。
【請求項５】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
下りバースト領域は、時間−サブチャネル平面上で矩形となるように、スロット単位かつメジャーグループ単位で下りサブフレーム内に割り当てられ、
下りサブフレーム内に下りバースト領域が割り当てられる際に使用される複数の参照値が定められており、
前記複数の参照値は、それぞれが、一つのメジャーグループを構成するサブキャリアあるいは番号が連続する複数のメジャーグループを構成するサブキャリアの数と一致し、かつ互いに異なった値となるように定められており、
前記複数の参照値のうちのある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、
当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる、下りバースト領域の割り当て方法。
【請求項６】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
下りバースト領域は、時間−サブチャネル平面上で矩形となるように、スロット単位かつメジャーグループ単位で下りサブフレーム内に割り当てられ、
下りサブフレーム内に下りバースト領域が割り当てられる際に使用される複数の参照値が定められており、
前記複数の参照値は、それぞれが、一つのメジャーグループを構成するサブキャリアあるいは番号が連続する複数のメジャーグループを構成するサブキャリアの数と一致し、かつ互いに異なった値となるように定められており、
前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、
当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる、下りバースト領域の割り当て方法。
【発明の詳細な説明】
【技術分野】
【０００１】
本発明は、ＯＦＤＭ（Orthogonal Frequency Division Multiplexing）方式で定義された複数のサブキャリアを用いて複数の通信端末と多元接続通信を行うＷｉＭＡＸ（Worldwide Interoperability for Microwave Access）での基地局と、当該基地局における下りバースト領域の割り当て方法に関する。
【背景技術】
【０００２】
従来から無線通信に関して様々な技術が提案されている。例えば特許文献１には、ＷｉＭＡＸと呼ばれる、ＯＦＤＭＡ（Orthogonal Frequency Division Multiple Access）方式で通信を行う無線通信技術が開示されている。
【０００３】
ＷｉＭＡＸでは、サブチャネル配置法として様々な方法が規定されている。そのうちの、下り方向の通信で適用される下りＰＵＳＣ（Partial Usage of Subchannels）では、それぞれが複数のサブチャネルで構成された複数のメジャーグループが規定されている。
【０００４】
一方で、ＷｉＭＡＸでは、基地局から通信端末に向けて信号が送信される際に使用される下りサブフレーム内には、ユーザデータを送信するための下りバースト領域が割り当てられる。アレイアンテナを有する基地局が、下りバースト領域でのサブチャネル配置法として下りＰＵＳＣを採用し、アレイアンテナの指向性を制御するビームフォーミングを行って通信端末に信号を送信する場合には、メジャーグループ単位で下りバースト領域を下りサブフレーム内に割り当てる必要がある。
【０００５】
また、ＷｉＭＡＸでは、横軸にＯＦＤＭシンボルをとり、縦軸にサブチャネルをとった、ＯＦＤＭシンボル（時間）−サブチャネル平面上において矩形となるように下りバースト領域を下りサブフレーム内に割り当てる必要がある。
【０００６】
さらに、ＷｉＭＡＸでは、一つのサブチャネルと少なくとも一つのＯＦＤＭシンボルで構成される、「スロット」と呼ばれる単位で下りバースト領域を下りサブフレーム内に割り当てる必要がある。
【０００７】
【特許文献１】特開２００８−４８２３６号公報
【発明の開示】
【発明が解決しようとする課題】
【０００８】
上述のように、ＷｉＭＡＸでは、下りバースト領域を下りサブフレーム内に割り当てる際には様々な制約が存在しているため、下りバースト領域を構成する複数のスロットでは、ユーザデータの送信に使用されないスロットが多く存在することがある。そのため、無線リソースを効率的に使用できない場合がある。
【０００９】
そこで、本発明は上述の点に鑑みて成されたものであり、下りバースト領域において未使用のスロットの数を抑制することが可能な技術を提供することを目的とする。
【課題を解決するための手段】
【００１０】
上記課題を解決するため、本発明に係る基地局は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、時間−サブチャネル平面上で定義される下りサブフレーム内に少なくとも一つの下りバースト領域を割り当てるバースト領域割り当て部と、前記バースト領域割り当て部が下りサブフレーム内に割り当てた下りバースト領域を用いてデータを送信する送信部とを備え、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、前記バースト領域割り当て部は、時間−サブチャネル平面上で下りバースト領域が矩形となるように、スロット単位かつメジャーグループ単位で当該下りバースト領域を下りサブフレーム内に割り当て、前記バースト領域割り当て部が下りサブフレーム内に下りバースト領域を割り当てる際に使用する複数の参照値が定められており、前記複数の参照値は、それぞれが、一つのメジャーグループを構成するサブキャリアあるいは番号が連続する複数のメジャーグループを構成するサブキャリアの数と一致し、さらに互いに異なった値となるように定められており、前記バースト領域割り当て部は、前記複数の参照値のうちの一のある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる。
【００１１】
また、本発明に係る基地局の一態様では、前記バースト領域割り当て部は、前記複数の参照値のうちのある参照値であって、一つの下りバースト領域でデータを送信する際に必要なスロット数を当該ある参照値で除算したときの余りが零となる参照値が前記複数の参照値の間で複数存在する場合には、それらのうちの最も大きい参照値と同数のサブチャネルで構成された少なくとも一つのメジャーグループだけを占めるように当該一つの下りバースト領域を下りサブフレーム内に割り当て、当該余りが零となる参照値が前記複数の参照値の間で存在しない場合において、前記複数の参照値のうちのある参照値であって、前記必要なスロット数を当該ある参照値で除算したときの余りを当該参照値から差し引いて得られる値が前記複数の参照値の間で最も小さくなる参照値が前記複数の参照値の間で複数存在する際には、それらのうちの最も大きい参照値と同数のサブチャネルで構成された少なくとも一つのメジャーグループだけを占めるように当該一つの下りバースト領域を下りサブフレーム内に割り当てる。
【００１２】
また、本発明に係る基地局は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、時間−サブチャネル平面上で定義される下りサブフレーム内に少なくとも一つの下りバースト領域を割り当てるバースト領域割り当て部と、前記バースト領域割り当て部が下りサブフレーム内に割り当てた下りバースト領域を用いてデータを送信する送信部とを備え、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、前記バースト領域割り当て部は、時間−サブチャネル平面上で下りバースト領域が矩形となるように、スロット単位かつメジャーグループ単位で当該下りバースト領域を下りサブフレーム内に割り当て、前記バースト領域割り当て部が下りサブフレーム内に下りバースト領域を割り当てる際に使用する複数の参照値が定められており、前記複数の参照値は、それぞれが、一つのメジャーグループを構成するサブキャリアあるいは番号が連続する複数のメジャーグループを構成するサブキャリアの数と一致し、かつ互いに異なった値となるように定められており、前記バースト領域割り当て部は、前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる。
【００１３】
また、本発明に係る基地局の一態様では、前記バースト領域割り当て部は、前記複数の参照値のうちのある参照値であって、当該ある参照値の倍数値が一つの下りバースト領域でデータを送信する際に必要なスロット数と一致する参照値が前記複数の参照値の間で複数存在する場合には、それらのうちの最も大きい参照値と同数のサブチャネルで構成された少なくとも一つのメジャーグループだけを占めるように当該一つの下りバースト領域を下りサブフレーム内に割り当て、当該一致する参照値が前記複数の参照値の間で存在しない場合において、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値が前記複数の参照値の間で複数存在する際には、それらのうちの最も大きい参照値と同数のサブチャネルで構成された少なくとも一つのメジャーグループだけを占めるように当該一つの下りバースト領域を下りサブフレーム内に割り当てる。
【００１４】
また、本発明に係る下りサブバースト領域の割り当て方法は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、下りバースト領域は、時間−サブチャネル平面上で矩形となるように、スロット単位かつメジャーグループ単位で下りサブフレーム内に割り当てられ、下りサブフレーム内に下りバースト領域が割り当てられる際に使用される複数の参照値が定められており、前記複数の参照値は、それぞれが、一つのメジャーグループを構成するサブキャリアあるいは番号が連続する複数のメジャーグループを構成するサブキャリアの数と一致し、かつ互いに異なった値となるように定められており、前記複数の参照値のうちのある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる。
【００１５】
また、本発明に係る下りサブバースト領域の割り当て方法は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、下りバースト領域は、時間−サブチャネル平面上で矩形となるように、スロット単位かつメジャーグループ単位で下りサブフレーム内に割り当てられ、下りサブフレーム内に下りバースト領域が割り当てられる際に使用される複数の参照値が定められており、前記複数の参照値は、それぞれが、一つのメジャーグループを構成するサブキャリアあるいは番号が連続する複数のメジャーグループを構成するサブキャリアの数と一致し、かつ互いに異なった値となるように定められており、前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる。
【発明の効果】
【００１６】
本発明によれば、それぞれが、一つのメジャーグループを構成するサブキャリアあるいは番号が連続する複数のメジャーグループを構成するサブキャリアの数と一致し、さらに互いに異なった値となるように定められた複数の参照値のうちのある参照値であって、一つの下りバースト領域でデータを送信する際に必要なスロット数を当該ある参照値で除算したときの余りが零となる参照値が複数の参照値の間で存在する場合には、複数のメジャーグループのうち、当該余りが零となる参照値と同じ数のサブチャネルで構成された少なくとも一つのメジャーグループだけを占めるように当該一つの下りバースト領域を下りサブフレーム内に割り当てている。そして、余りが零となる参照値が存在しない場合には、複数の参照値のうちのある参照値であって、必要なスロット数を当該ある参照値で除算したときの余りを当該ある参照値の値から差し引いて得られる値が複数の参照値の間で最も小さくなる参照値と同じ数のサブチャネルで構成された少なくとも一つのメジャーグループだけを占めるように当該一つの下りバースト領域を下りサブフレーム内に割り当てている。そのため、一つの下りバースト領域を構成する複数のスロットにおいて、データの送信に使用されないスロットの数を抑制できる。
【００１７】
また、本発明の一態様によれば、複数の参照値のうちのある参照値であって、一つの下りバースト領域でデータを送信する際に必要なスロット数を当該ある参照値で除算したときの余りが零となる参照値が複数存在する場合には、それらのうちの最も大きい参照値と同数のサブチャネルで構成された少なくとも一つのメジャーグループだけを占めるように当該一つの下りバースト領域を下りサブフレーム内に割り当てている。そして、余りが零となる参照値が存在しない場合において、複数の参照値のうちのある参照値であって、必要なスロット数を当該ある参照値で除算したときの余りを当該参照値から差し引いて得られる値が複数の参照値の間で最も小さくなる参照値が複数存在する際には、それらのうちの最も大きい参照値と同数のサブチャネルで構成された少なくとも一つのメジャーグループだけを占めるように当該一つの下りバースト領域を下りサブフレーム内に割り当てている。そのため、一つの下りバースト領域の時間方向の長さを抑制することができ、当該一つの下りバースト領域に対して時間方向で隣り合って他の下りバースト領域を配置しやすくなる。その結果、一つの下りサブフレーム内に複数の下りバースト領域を効率よく配置することができる。
【００１８】
また、本発明によれば、それぞれが、一つのメジャーグループを構成するサブキャリアあるいは番号が連続する複数のメジャーグループを構成するサブキャリアの数と一致し、かつ互いに異なった値となるように定められた複数の参照値のうちのある参照値であって、当該ある参照値の倍数値が一つの下りバースト領域でデータを送信する際に必要なスロット数と一致する参照値が複数の参照値の間で存在する場合には、複数のメジャーグループのうち、当該一致する参照値と同じ数のサブチャネルで構成された少なくとも一つのメジャーグループだけを占めるように当該一つの下りバースト領域を下りサブフレーム内に割り当てている。そして、一致する参照値が存在しない場合には、複数の参照値のうちのある参照値であって、必要なスロット数よりも大きくかつそれに最も近い当該ある参照値の倍数値と、当該必要なスロット数との差が複数の参照値の間で最も小さくなる参照値と同数のサブチャネルで構成された少なくとも一つのメジャーグループだけを占めるように当該一つの下りバースト領域を下りサブフレーム内に割り当てている。そのため、一つの下りバースト領域を構成する複数のスロットにおいて、データの送信に使用されないスロットの数を抑制できる。
【００１９】
また、本発明の一態様によれば、複数の参照値のうちのある参照値であって、当該ある参照値の倍数値が一つの下りバースト領域でデータを送信する際に必要なスロット数と一致する参照値が複数存在する場合には、それらのうちの最も大きい参照値と同数のサブチャネルで構成された少なくとも一つのメジャーグループだけを占めるように当該一つの下りバースト領域を下りサブフレーム内に割り当てている。そして、一致する参照値が存在しない場合において、複数の参照値のうちのある参照値であって、必要なスロット数よりも大きくかつそれに最も近い当該ある参照値の倍数値と、当該必要なスロット数との差が複数の参照値の間で最も小さくなる参照値が複数存在する際には、それらのうちの最も大きい参照値と同数のサブチャネルで構成された少なくとも一つのメジャーグループだけを占めるように当該一つの下りバースト領域を下りサブフレーム内に割り当てている。そのため、一つの下りバースト領域の時間方向の長さを抑制することができ、当該一つの下りバースト領域に対して時間方向で隣り合って他の下りバースト領域を配置しやすくなる。その結果、一つの下りサブフレーム内に複数の下りバースト領域を効率よく配置することができる。
【発明を実施するための最良の形態】
【００２０】
図１は本発明の実施の形態に係る無線通信システムの構成を示す図である。また図２は、本実施の形態に係る無線通信システムが備える基地局１の構成を示す図である。本実施の形態に係る無線通信システムは、例えば、ＩＥＥＥ８０２．１６ｅに規定されているモバイルＷｉＭＡＸに準拠したシステムであって、基地局１はＯＦＤＭＡ方式で複数の通信端末２と双方向の無線通信を行う。ＯＦＤＭＡ方式で通信を行う基地局１は、サブチャネルとＯＦＤＭシンボルとで特定される無線リソースを複数の通信端末２のそれぞれに個別に割り当てることによって、当該複数の通信端末２と同時に通信することが可能となっている。
【００２１】
図２に示されるように、基地局１は、無線受信部１１及び無線送信部１２を有する無線通信部１０と、データ処理部１４と、ウェイト算出部１５と、バースト領域割り当て部１６とを備えている。無線受信部１１及び無線送信部１２は、アンテナとして、複数のアンテナ素子１３ａから成るアレイアンテナ１３を共有している。つまり、アレイアンテナ１３は、通信端末２に無線信号を送信する送信アンテナ及び通信端末２からの無線信号を受信する受信アンテナとして機能する。基地局１は、アレイアンテナ１３を構成する複数のアンテナ素子１３ａのそれぞれにウェイト付け（重み付け）を行うことによってビームフォーミングを行い、アレイアンテナ１３による指向性を通信対象の通信端末２に向けることが可能である。
【００２２】
無線受信部１１は、アレイアンテナ１３の複数のアンテナ素子１３ａで受信された信号のそれぞれに対して増幅処理やダウンコンバートを行って、複数のアンテナ素子１３ａで受信された信号をそれぞれベースバンド信号に変換して出力する。
【００２３】
ウェイト算出部１５は、通信対象の通信端末２ごとに、通信端末２から送信されてくる既知のサウンディング信号に基づいて、当該通信端末２に割り当てる各サブキャリアの伝送路の品質を推定する。通信端末２からのサウンディング信号はデータ処理部１４で取得される。そして、ウェイト算出部１５は、その推定結果に基づいて、通信対象の通信端末２ごとに、アレイアンテナ１３に適用する受信用のウェイトと送信用のウェイトを、通信端末２に割り当てる各サブキャリアについて算出する。ウェイト算出部１５では、受信用及び送信用のウェイトは、例えば、ＬＭＳ（Least Mean Square）アルゴリズムなどを用いた収束演算で算出される。
【００２４】
例えば、ある通信端末２が基地局１にデータを送信する際に使用するサブキャリアとして１００本のサブキャリアが割り当てられている場合には、本実施の形態に係るアレイアンテナ１３は３つのアンテナ素子１３ａで構成されていることから、ウェイト算出部１５では、当該通信端末２について、（１００×３）個の受信用のウェイトが算出される。また、基地局１がある通信端末２にデータを送信する際に使用するサブキャリアとして１５０本のサブキャリアが割り当てられている場合には、ウェイト算出部１５では、当該通信端末２について、（１５０×３）個の送信用のウェイトが算出される。
【００２５】
このように、ウェイト算出部１５では、受信用及び送信用のそれぞれについて、アレイアンテナ１３を構成するアンテナ素子１３ａの数と、通信端末２に割り当てられたサブキャリアの数とを掛け合わせて得られる数のウェイトが、通信端末２ごとに求められる。
【００２６】
データ処理部１４は、無線受信部１１から出力される複数のベースバンド信号のそれぞれに対してＦＦＴ（Fast Fourier Transform）処理を行って、当該複数のベースバンド信号のそれぞれについて、それに含まれる複数のサブキャリアを分離して取得する。データ処理部１４は、複数のベースバンド信号に含まれていた同一周波数のサブキャリアごとに、当該同一周波数のサブキャリアのそれぞれに対して、ウェイト算出部１５で算出された、対応する受信用のウェイトを設定して、各サブキャリアの位相及び振幅を制御する。そして、データ処理部１４は、複数のベースバンド信号に含まれていた同一周波数のサブキャリアごとに、ウェイト設定後の当該同一周波数のサブキャリアを合成する。これにより、アレイアンテナ１３のビームを希望波に向けることができ、妨害波を除去することができる。データ処理部１４は、ウェイト設定後の同一周波数のサブキャリアを合成して得られた信号（以後、「合成サブキャリア」と呼ぶ）のそれぞれに対して復調処理等を行って、通信端末２からのサウンディング信号等の各種データを再生する。
【００２７】
また、データ処理部１４はシリアル送信データを生成する。データ処理部１４は、生成したシリアル送信データをパラレル送信データに変換して、当該パラレル送信データで、送信に使用する複数のサブキャリアを変調する。この変調後の複数のサブキャリアから成るサブキャリア群は、アンテナ素子１３ａの数だけ準備される。本実施の形態では、同一の３つのサブキャリア群が準備される。データ処理部１４は、複数のサブキャリア群に含まれる同一周波数のサブキャリアごとに、当該同一周波数のサブキャリアのそれぞれに対して、ウェイト算出部１５で算出された、対応する送信用のウェイトを設定する。そして、データ処理部１４は、複数のサブキャリア群のそれぞれについて、当該サブキャリア群に含まれるウェイト設定後の複数のサブキャリアを合成してベースバンド信号を生成する。これにより、アレイアンテナ１３のアンテナ素子１３ａの数だけ、ベースバンド信号が生成される。データ処理部１４は、生成された複数のベースバンド信号を無線送信部１２に出力する。
【００２８】
バースト領域割り当て部１６は、基地局１から通信端末２へ信号を送信するための下りサブフレーム内に、ユーザデータの下り方向の送信に使用される少なくとも一つの下りバースト領域を割り当てる。下りバースト領域は、ＯＦＤＭシンボルとサブチャネルとで特定され、一つの下りバースト領域には少なくとも一つの通信端末２向けのユーザデータが含められる。下りサブフレーム内に下りバースト領域が割り当てられることによって、基地局１では、通信対象の通信端末２にユーザデータを送信する際に使用する無線リソースが決定する。
【００２９】
また、バースト領域割り当て部１６は、通信端末２から基地局１へ信号を送信するための上りサブフレーム内に、ユーザデータの上り方向の送信に使用される上りバースト領域を割り当てる。上りバースト領域は、ＯＦＤＭシンボルとサブチャネルとで特定され、一つの上りバースト領域には一つの通信端末２からのユーザデータが含められる。上りサブフレーム内に上りバースト領域が割り当てられることによって、基地局１では、通信対象の通信端末２がユーザデータを送信する際に使用する無線リソースが決定する。
【００３０】
無線送信部１２は、データ処理部１４から入力された複数のベースバンド信号を、アップコンバート及び増幅処理を行った後、複数のアンテナ素子１３ａにそれぞれ入力する。これにより、アレイアンテナ１３からは、通信対象の通信端末２に向かって無線信号が送信される。
【００３１】
次に、モバイルＷｉＭＡＸでのフレーム１００の構成について説明する。図３はフレーム１００の構成例を示す図である。モバイルＷｉＭＡＸでは、基地局１と通信端末２との間の複信方式には、ＴＤＤ（Time Division Duplexing、時分割複信）方式が採用されている。図３に示されるように、一つのフレーム１００は、基地局１から通信端末２へ信号を送信するための下りサブフレーム１０１と、通信端末２から基地局１に信号を送信するための上りサブフレーム１０２とで構成されている。そして、フレーム１００内には、基地局１が送信から受信に切り替える際のガード時間であるＴＧＧ（Transmit Transition Gap）と、基地局１が受信から送信に切り替える際のガード時間であるＲＴＧ（Receive Transition Gap）が設けられている。
【００３２】
図３に示されるように、下りサブフレーム１０１と上りサブフレーム１０２のそれぞれは、ＯＦＤＭシンボルの番号で与えられる時間軸と、サブチャネルの番号で与えられる周波数軸とから成る２次元で表現される。言い換えれば、下りサブフレーム１０１と上りサブフレーム１０２のそれぞれは、時間−サブチャネル平面上で定義される。ＯＦＤＭＡ方式では、複数のサブキャリアが複数のサブチャネルにグループ分けされ、通信端末２へのサブキャリアの割り当ては、サブチャネル単位で行われる。また、ＯＦＤＭＡ方式では、各通信端末２に対する無線リソースの割り当てが、周波数軸と時間軸とで表現される２次元で行われる。
【００３３】
下りサブフレーム１０１内には、例えば、プリアンブル領域１０１ａ、ＦＣＨ（Frame Control Header）領域１０１ｂ、ＤＬ−ＭＡＰ（Downlink Map）領域１０１ｃ、ＵＬ−ＭＡＰ（Uplink Map）領域１０１ｄ及び複数の下りバースト領域１０１ｅが割り当てられる。下りサブフレーム１０１における、プリアンブル領域１０１ａ等の各領域の範囲は、サブチャネル数とＯＦＤＭシンボル数とで決定される。
【００３４】
一方で、上りサブフレーム１０２内には、例えば、レンジング領域１０２ａ、ＣＱＩＣＨ領域１０２ｂ、ＡＣＫ領域１０２ｃ、サウンディングゾーン１０２ｄ及び複数の上りバースト領域１０２ｅが割り当てられる。下りサブフレーム１０１と同様に、上りサブフレーム１０２における、レンジング領域１０２ａ等の各領域の範囲は、サブチャネル数とＯＦＤＭシンボル数とで決定される。
【００３５】
プリアンブル領域１０１ａには、通信端末２が基地局１との同期をとるために必要な信号が含められる。ＦＣＨ領域１０１ｂには、ＤＬ−ＭＡＰ領域１０１ｃ中の後述のＤＬ−ＭＡＰメッセージの長さと、そこで使用されている誤り訂正符号の方式及び繰り返し符号の繰り返し数を示すＤＬＦＰ（Downlink Frame Prefix）などが含められる。通信端末２はＤＬＦＰの内容に従ってＤＬ−ＭＡＰメッセージを復調する。
【００３６】
複数の下りバースト領域１０１ｅのそれぞれには、少なくとも一つの通信端末２をＤＬ−ＭＡＰメッセージ１０１ｃによって割り当てることが可能であって、各下りバースト領域１０１ｅには、対応する通信端末２へのユーザデータが含められる。図３の下りサブフレーム１０１では、♯１〜♯５までの５つの下りバースト領域１０１ｅが配置されている。時間−サブチャネル平面上で下りバースト領域１０１ｅが占める時間帯（ＯＦＤＭシンボル）及びサブチャネルが、当該下りバースト領域１０１ｅに対応付けられた通信端末２に割り当てられた無線リソースとなる。
【００３７】
ＤＬ−ＭＡＰ領域１０１ｃには、それが属する下りサブフレーム１０１において通信を行う各通信端末２に対する無線リソースの割り当てを示すＤＬ−ＭＡＰメッセージが含められる。ＤＬ−ＭＡＰメッセージには、下りサブフレーム１０１において各下りバースト領域１０１ｅがどの領域に割り当てられているのか、各下りバースト領域１０１ｅに対してどの通信端末２が割り当てられているのかなどの情報が含まれている。したがって、ＤＬ−ＭＡＰメッセージによって、それが属する下りサブフレーム１０１で通信を行う通信端末２と、当該通信端末２と通信を行う際に使用されるサブチャネルと、当該通信端末２と通信を行う時間帯とが特定される。各通信端末２は、ＤＬ−ＭＡＰメッセージの内容を解析することによって、自装置宛のデータが基地局１からどの時間帯（ＯＦＤＭシンボル）でどのサブチャネルを使用して送信されるかを知ることができる。その結果、各通信端末２では、基地局１からの自装置宛のデータを適切に受信することができる。
【００３８】
ＵＬ−ＭＡＰ領域１０１ｄには、それが属する下りサブフレーム１０１に続く上りサブフレーム１０２において通信対象となる各通信端末２に対する無線リソースの割り当てを示すＵＬ−ＭＡＰメッセージが含められる。ＵＬ−ＭＡＰメッセージには、上りサブフレーム１０２において各上りバースト領域１０２ｅがどの領域に割り当てられているのか、上りサブフレーム１０２中の各上りバースト領域１０２ｅに対してどの通信端末２が割り当てられているのかなどの情報が含まれている。したがって、ＵＬ−ＭＡＰメッセージによって、それが属する下りサブフレーム１０１に続く上りサブフレーム１０２において通信を行う通信端末２と、当該通信端末２と通信を行う際に使用されるサブチャネルと、当該通信端末２と通信を行う時間帯とが特定される。各通信端末２は、ＵＬ−ＭＡＰメッセージの内容を解析することによって、基地局１宛のデータをどの時間帯でどのサブチャネルを使用して送信すべきかを知ることができる。
【００３９】
上りサブフレーム１０２での複数の上りバースト領域１０２ｅのそれぞれには、互いに異なった通信端末２がＵＬ−ＭＡＰメッセージによって割り当てられており、各上りバースト領域１０２ｅには、対応する通信端末２が送信するユーザデータが含められる。図３の上りサブフレーム１０２では、♯１〜♯４までの４つの上りバースト領域１０２ｅが割り当てられている。時間−サブチャネル平面上で上りバースト領域１０２ｅが占める時間帯（ＯＦＤＭシンボル）及びサブチャネルが、当該上りバースト領域１０２ｅに対応付けられた通信端末２に割り当てられた無線リソースとなる。
【００４０】
レンジング領域１０２ａには、帯域要求やレンジングを行うための信号が含められる。ＣＱＩＣＨ領域１０２ｂにはチャネル品質情報が含められる。ＡＣＫ領域１０２ｃには、基地局１からのＨＡＲＱ（Hybrid Automatic Repeat Request）に対するＡＣＫ（Acknowledgement）あるいはＮＡＣＫ（Negative Acknowledgement）が含められる。
【００４１】
サウンディングゾーン１０２ｄには、基地局１のウェイト算出部１５がアレイアンテナ１３に適用するウェイトを算出する際に使用する既知のサウンディング信号が含められる。サウンディングゾーン１０２ｄには、すべてのサブチャネル、つまりすべてのサブキャリアが割り当てられている。サウンディングゾーン１０２ｄに割り当てられている複数のサブチャネルは、当該サウンディングゾーン１０２ｄが属する上りサブフレーム１０２において基地局１と通信を行う複数の通信端末２に対して重複しないように割り振られている。上りサブフレーム１０２において基地局１と通信を行う各通信端末２は、サウンディング信号を、割り当てられているサブチャネルを使用して基地局１に送信する。なお、上りサブフレーム１０２において基地局１と通信を行う通信端末２が一つの場合には、当該一つの通信端末２にすべてのサブチャネルが割り当てられ、当該一つの通信端末２は、すべてのサブチャネルを使用してサウンディング信号を送信する。
【００４２】
通信端末２に対する、サウンディング信号用のサブキャリアの割り当ては、ＵＬ−ＭＡＰ領域１０１ｄ中のＵＬ−ＭＡＰメッセージで行われている。ＵＬ−ＭＡＰメッセージでは、それが属する下りサブフレーム１０１に続く上りサブフレーム１０２において基地局１と通信する各通信端末２がサウンディング信号を送信する際にどのサブチャネルを使用するかが記述されている。ＵＬ−ＭＡＰメッセージが送られる下りサブフレーム１０１の後に続く上りサブフレーム１０２において基地局１と通信を行う各通信端末２は、当該ＵＬ−ＭＡＰメッセージにおいて自装置用として指定されているサブチャネルを使用してサウンディング信号を基地局１に送信する。具体的には、通信端末２は、指定された複数のサブキャリアをサウンディング信号で変調し、変調後の複数のサブキャリアを重畳して得られる信号を基地局１に送信する。
【００４３】
モバイルＷｉＭＡＸでは、サブチャネル配置法として、様々な方法が規定されている。そのうちのＰＵＳＣ（Partial Usage of Subchannels）では、下り方向の通信で適用される下りＰＵＳＣと、上り方向の通信で適用される上りＰＵＳＣとが存在する。下りＰＵＳＣでは、それぞれが複数のサブチャネルを含む複数のメジャーグループが規定されている。図４は、ＦＦＴサイズが１０２４の場合において、下りＰＵＳＣで規定されている６つのメジャーグループ０〜５の構成を示す図である。
【００４４】
図４に示されるように、メジャーグループ０，２，４のそれぞれは６つのサブチャネルで構成されており、メジャーグループ１，３，５のそれぞれは４つのサブチャネルで構成されている。基地局１が、下りバースト領域１０１ｅでのサブチャネル配置法として下りＰＵＳＣを採用し、本実施の形態のようにビームフォーミングを行って通信端末２にユーザデータを送信する場合には、下りバースト領域１０１ｅはメジャーグループ単位で下りサブフレーム１０１内に割り当てる必要がある。つまり、基地局１は、ユーザデータを送信する対象の通信端末２に対するサブチャネルの割り当てはメジャーグループ単位で行わなければならない。一つの下りバースト領域１０１ｅは、一つのメジャーグループを占めるように割り当てても良いし、複数のメジャーグループを占めるように割り当てても良い。図４において太線で示された下りバースト領域１０１ｅは、３つのメジャーグループ０〜２を占めるように割り当てられている。以後、下りバースト領域１０１ｅのサブチャネル配置法としては、下りＰＵＳＣが採用されているものとする。
【００４５】
また、モバイルＷｉＭＡＸでは、下りバースト領域１０１ｅについては、図３や図４のように、横軸にＯＦＤＭシンボルをとり、縦軸にサブチャネルをとった、ＯＦＤＭシンボル（時間）−サブチャネル平面上において、その形状が矩形とならなければならない。一つの下りバースト領域１０１ｅが複数のメジャーグループを占める場合には、下りバースト領域１０１ｅが矩形となるように、連続した番号の複数のメジャーグループを占めるように割り当てられる。
【００４６】
さらに、モバイルＷｉＭＡＸにおいては、下りサブフレーム１０１内での、下りバースト領域１０１ｅ等の各領域の割り当てと、上りサブフレーム１０２内での、上りバースト領域１０２ｅ等の各領域の割り当てとは、「スロット」と呼ばれる単位で行われる。サブチャネル配置法として下りＰＵＳＣを採用した場合には、１つサブチャネルと２つのＯＦＤＭシンボルで１つのスロットが構成される。なお、上りＰＵＳＣでは１つサブチャネルと３つのＯＦＤＭシンボルで１つのスロットが構成され、ＦＵＳＣ（Full Usage of Subchannels）では１つサブチャネルと１つのＯＦＤＭシンボルで１つのスロットが構成される。
【００４７】
本実施の形態に係る基地局１では、一の下りバースト領域１０２ｅでユーザデータを送信する際に必要なスロットの数（以後、「必要スロット数」と呼ぶ）に基づいて、当該一の下りバースト領域１０２ｅを下りサブフレーム１０１内に適切に割り当てることによって、当該一の下りバースト領域１０２ｅを構成する複数のスロットにおいて、ユーザデータの送信に使用されないスロットの数を少なくすることができる。言い換えれば、一の下りバースト領域１０２ｅでユーザデータを送信する際の必要スロット数と、当該一の下りバースト領域１０２ｅを構成する複数のスロットの数との差を低減することができる。これにより、無線リソースを効率的に使用できる。以下にこのことについて詳細に説明する。
【００４８】
図５はバースト領域割り当て部１６が下りサブフレーム１０１内に下りバースト領域１０１ｅを割り当てる際の当該バースト領域割り当て部１６の動作を示すフローチャートである。本実施の形態に係る無線通信システムでは、バースト領域割り当て部１６が下りバースト領域１０２ｅを下りサブフレーム１０１内に割り当てる際に使用する複数の参照値が定められている。この複数の参照値は、それぞれ、一つのメジャーグループを構成するサブキャリアあるいは番号が連続する複数のメジャーグループの数と一致し、かつ互いに異なった値となるように定められている。本実施の形態では、例えば、“４”、“６”及び“１０”の３つの参照値が予めバースト領域割り当て部１６に記憶されている。参照値“４”は、例えばメジャーグループ１を構成するサブチャネルの数と一致し、参照値“６”は、例えばメジャーグループ０を構成するサブチャネルの数と一致し、参照値“１０”は、例えばメジャーグループ０，１を構成するサブチャネルの数と一致する。
【００４９】
なお、ＦＦＴサイズが１２８あるいは５１２の場合には、奇数番号のメジャーグループは存在しない。したがって、この場合における「番号が連続する複数のメジャーグループ」とは、０番及び２番の２つのメジャーグループ、２番及び４番の２つのメジャーグループ、０番、２番及び４番の３つのメジャーグループのいずれかとなる。
【００５０】
図５に示されるように、まずステップｓ１において、バースト領域割り当て部１６は、数フレーム先の一の下りサブフレーム１０１（以後、「対象下りサブフレーム１０１」と呼ぶ）内に割り当てる下りバースト領域１０１ｅの数を決定する。ここで、ステップｓ１で決定される下りバースト領域１０１ｅの数をＭ（≧１）とする。バースト領域割り当て部１６は、対象下りサブフレーム１０１でユーザデータを送信すべき通信端末２の数や当該通信端末２と基地局１との通信品質等に基づいて、対象下りサブフレーム１０１内に割り当てる下りバースト領域１０１ｅの数を決定する。通信端末２と基地局１との間の通信品質は、通信端末２からの送信信号に基づいてデータ処理部１４が判定することができる。
【００５１】
次にステップｓ２において、バースト領域割り当て部１６は、ステップｓ１で決定されたＭ個の下りバースト領域１０１ｅの一つを対象下りバースト領域１０１ｅとし、当該対象下りバースト領域１０１ｅでユーザデータを送信する際の必要スロット数Ｎｓｌｏｔを求める。ステップｓ２では、バースト領域割り当て部１６は、まず、対象下りバースト領域１０１ｅでユーザデータを送信する対象の通信端末２を決定する。つまり、バースト領域割り当て部１６は、対象下りバースト領域１０１ｅに対応付ける通信端末２を決定する。そして、バースト領域割り当て部１６は、決定した通信端末２についてのＱｏＳ（Quality of Service）や過去の送信データ量に基づいて、対象下りバースト領域１０１ｅに含めるユーザデータのデータ量を決定し、当該データ量に基づいて必要スロット数Ｎｓｌｏｔを求める。
【００５２】
次にステップｓ３において、バースト領域割り当て部１６は、予め記憶する複数の参照値のそれぞれについて、ステップｓ２で求めた必要スロット数Ｎｓｌｏｔを参照値で除算した際の余りを求める。例えば、必要スロット数Ｎｓｌｏｔが“４１”の場合、これを参照値の“４”、“６”及び“１０”で除算すると、余りはそれぞれ“１”、“５”及び“１”となる。以後、必要スロット数Ｎｓｌｏｔを参照値の“４”、“６”及び“１０”で除算した際の余りをそれぞれ“ｒ４”、“ｒ６”及び“ｒ１０”とする。
【００５３】
次にステップｓ４において、バースト領域割り当て部１６は、各参照値について、ステップｓ３で求めた余りを参照値から差し引いた値を求める。つまり、ステップｓ４では、“４−ｒ４”、“６−ｒ６”及び“１０−ｒ１０”が求められる。
【００５４】
次にステップｓ５において、バースト領域割り当て部１６は、対象下りバースト領域１０１ｅがどのバーストグループに属するかを特定する。ここで、本実施の形態に係る基地局１では、複数のバーストグループが定めらており、下りバースト領域１０１ｅが属するバーストグループに応じて当該下りバースト領域１０１ｅを下りサブフレーム１０１内のどの領域に割り当てるかが決定される。本実施の形態では、参照値“４”に対応付けられたバーストグループＧ４と、参照値“６”に対応付けられたバーストグループＧ６と、参照値“１０”に対応付けられたバーストグループＧ１０の３つのバーストグループが定められている。バーストグループＧ４には、ｒ４＝０となる下りバースト領域１０１ｅと、“４−ｒ４”、“６−ｒ６”及び“１０−ｒ１０”のうち“４−ｒ４”が最も小さい値となる下りバースト領域１０１ｅとが属する。バーストグループＧ６には、ｒ６＝０となる下りバースト領域１０１ｅと、“４−ｒ４”、“６−ｒ６”及び“１０−ｒ１０”のうち“６−ｒ６”が最も小さい値となる下りバースト領域１０１ｅとが属する。バーストグループＧ１０には、ｒ１０＝０となる下りバースト領域１０１ｅと、“４−ｒ４”、“６−ｒ６”及び“１０−ｒ１０”のうち“１０−ｒ１０”が最も小さい値となる下りバースト領域１０１ｅとが属する。
【００５５】
バースト領域割り当て部１６は、ステップｓ３で求めたｒ４、ｒ６及びｒ１０と、ステップｓ４で求めた“４−ｒ４”、“６−ｒ６”及び“１０−ｒ１０”とに基づいて、対象下りバースト領域１０１ｅが属するバーストグループを特定する。バースト領域割り当て部１６は、ｒ４＝０の場合にはバーストグループＧ４に、ｒ６＝０の場合にはバーストグループＧ６に、ｒ１０＝０の場合にはバーストグループＧ１０に対象下りバースト領域１０１ｅが属すると判定する。また、バースト領域割り当て部１６は、ｒ４、ｒ６及びｒ１０のいずれもが零でない場合には、“４−ｒ４”、“６−ｒ６”及び“１０−ｒ１０”のうちで最も小さいものを特定し、“４−ｒ４”が最も小さい場合にはバーストグループＧ４に、“６−ｒ６”が最も小さい場合にはバーストグループＧ６に、“１０−ｒ１０”が最も小さい場合にはバーストグループＧ１０に対象下りバースト領域１０１ｅが属すると判定する。
【００５６】
ステップｓ５において対象下りバースト領域１０１ｅが属するバーストグループが特定されると、ステップｓ６において、バースト領域割り当て部１６は、対象下りバースト領域１０１ｅが属するバーストグループに応じて、対象下りバースト領域１０１ｅを対象下りサブフレーム１０１内に割り当てる。
【００５７】
バースト領域割り当て部１６は、対象下りバースト領域１０１ｅがバーストグループＧ４に属する場合には、それに対応する参照値“４”と同じ数のサブチャネルで構成される少なくとも一つのメジャーグループだけを占めるように対象下りバースト領域１０１ｅを対象下りサブフレーム１０１内に割り当てる。バースト領域割り当て部１６は、例えば図６に示されるように、４つのサブチャネルで構成される１番のメジャーグループだけを占めるように対象下りバースト領域１０１ｅを割り当てる。
【００５８】
また、バースト領域割り当て部１６は、対象下りバースト領域１０１ｅがバーストグループＧ６に属する場合には、それに対応する参照値“６”と同じ数のサブチャネルで構成される少なくとも一つのメジャーグループだけを占めるように対象下りバースト領域１０１ｅを対象下りサブフレーム１０１内に割り当てる。バースト領域割り当て部１６は、例えば図７に示されるように、６つのサブチャネルで構成される０番のメジャーグループだけを占めるように対象下りバースト領域１０１ｅを割り当てる。
【００５９】
また、バースト領域割り当て部１６は、対象下りバースト領域１０１ｅがバーストグループＧ１０に属する場合には、それに対応する参照値“１０”と同じ数のサブチャネルで構成される少なくとも一つのメジャーグループだけを占めるように対象下りバースト領域１０１ｅを対象下りサブフレーム１０１内に割り当てる。バースト領域割り当て部１６は、例えば図８に示されるように、１０個のサブチャネルで構成される０番及び１番の２つのメジャーグループだけを占めるように対象下りバースト領域１０１ｅを割り当てる。
【００６０】
なお、対象下りバースト領域１０１ｅが複数のバーストグループに存在する場合には、当該複数のバーストグループのうち、対応する参照値が最も大きいバーストグループに対応する参照値と同じ数のサブチャネルで構成される少なくとも一つのメジャーグループだけを占めるように対象下りバースト領域１０１ｅを割り当てる。例えば、ｒ４及びｒ６ともに零の場合には、下りバースト領域１０１ｅはバーストグループＧ４，Ｇ６の両方に属することになる。この場合には、対応する参照値が大きいバーストグループＧ６に対応する参照値と同じ数のサブチャネルで構成される一つのメジャーグループだけを占めるように対象下りバースト領域１０１ｅを割り当てる。
【００６１】
また、下りバースト領域１０１ｅの形状は必ず矩形となることから、参照値と同じ数のサブチャネルで構成された少なくとも一つのメジャーグループが複数のメジャーグループである場合には、当該複数のメジャーグループは、番号が連続する複数のメジャーグループとなる。
【００６２】
ステップｓ６において対象下りバースト領域１０１ｅの割り当てが完了すると、ステップｓ７において、バースト領域割り当て部１６は、対象下りサブフレーム１０１内に未だ割り当てられていない下りバースト領域１０１ｅが存在する否かを判定し、存在すれば、未割り当ての一の下りバースト領域１０１ｅを新たな対象下りバースト領域１０１ｅとして、ステップｓ２以降の処理を順次実行する。一方で、ステップｓ７において、対象下りサブフレーム１０１内に未だ割り当てられていない下りバースト領域１０１ｅは存在しないと判定されると、つまり、ステップｓ１で決定されたＭ個の下りバースト領域１０１ｅがすべて対象下りサブフレーム１０１内に割り当てられると、バースト領域割り当て部１６は、下りバースト領域１０１ｅの割り当て処理を終了する。
【００６３】
以上のようにして、Ｍ個すべての下りバースト領域１０１ｅの対象下りサブフレーム１０１内への割り当てが終了すると、対象下りサブフレーム１０１においてユーザデータの送信対象となる全通信端末２に対する無線リソースの割り当てが完了する。データ処理部１４及び無線送信部１２から成る送信部は、対象下りサブフレーム１０１での通信対象の通信端末２に割り当てられた無線リソースを用いて、ビームフォーミングを行いつつ当該通信端末２にユーザデータを送信する。
【００６４】
図９は、♯１〜♯９の９個の下りバースト領域１０１ｅを下りサブフレーム１０１内に割り当てる際に求められる、ｒ４、ｒ６、ｒ１０、“４−ｒ４”、“６−ｒ６”及び“１０−ｒ１０”の一例を示す図である。図１０は、図９の例における、♯１〜♯９の下りバースト領域１０１ｅの割り当て例を示す図である。図９の例では、♯１〜♯９の下りバースト領域１０１ｅでデータを送信する際の必要スロット数Ｎｓｌｏｔは、それぞれ“４１”、“４２”、“２６”、“３２”、“５３”、“３６”、“２７”、“３２”及び“１４０”となっている。
【００６５】
♯１の下りバースト領域１０１ｅでは、ｒ４、ｒ６及びｒ１０のいずれもが零でなく“６−ｒ６”が最も小さいため、♯１の下りバースト領域１０１ｅはバーストグループＧ６に属する。したがって、♯１の下りバースト領域１０１ｅは、図１０に示されるように、６つのサブチャネルで構成されたメジャーグループのみを占めるように割り当てられている。
【００６６】
♯２の下りバースト領域１０１ｅでは、ｒ６＝０であるため、♯２の下りバースト領域１０１ｅはバーストグループＧ６に属する。したがって、♯２の下りバースト領域１０１ｅは、図１０に示されるように、６つのサブチャネルで構成されたメジャーグループのみを占めるように割り当てられている。
【００６７】
♯３の下りバースト領域１０１ｅでは、ｒ４、ｒ６及びｒ１０のいずれもが零でなく“４−ｒ４”が最も小さいため、♯３の下りバースト領域１０１ｅはバーストグループＧ４に属する。したがって、♯３の下りバースト領域１０１ｅは、図１０に示されるように、４つのサブチャネルで構成されたメジャーグループのみを占めるように割り当てられている。
【００６８】
♯４の下りバースト領域１０１ｅでは、ｒ４＝０であるため、♯４の下りバースト領域１０１ｅはバーストグループＧ４に属する。したがって、♯４の下りバースト領域１０１ｅは、図１０に示されるように、４つのサブチャネルで構成されたメジャーグループのみを占めるように割り当てられている。
【００６９】
♯５の下りバースト領域１０１ｅでは、ｒ４、ｒ６及びｒ１０のいずれもが零でなく、“６−ｒ６”が最も小さいため、♯５の下りバースト領域１０１ｅはバーストグループＧ６に属する。したがって、♯５の下りバースト領域１０１ｅは、図１０に示されるように、６つのサブチャネルで構成されたメジャーグループのみを占めるように割り当てられている。
【００７０】
♯６の下りバースト領域１０１ｅでは、ｒ４及びｒ６ともに零であるため、♯６の下りバースト領域１０１ｅはバーストグループＧ４，Ｇ６に属する。バーストグループＧ４，Ｇ６では、バーストグループＧ６の方が、対応する参照値の値が大きいため、♯６の下りバースト領域１０１ｅは、図１０に示されるように、６つのサブチャネルで構成されたメジャーグループのみを占めるように割り当てられている。
【００７１】
♯７の下りバースト領域１０１ｅでは、ｒ４、ｒ６及びｒ１０のいずれもが零でなく、“４−ｒ４”が最も小さいため、♯７の下りバースト領域１０１ｅはバーストグループＧ４に属する。したがって、♯７の下りバースト領域１０１ｅは、図１０に示されるように、４つのサブチャネルで構成されたメジャーグループのみを占めるように割り当てられている。
【００７２】
♯８の下りバースト領域１０１ｅでは、ｒ４＝０であるため、♯８の下りバースト領域１０１ｅはバーストグループＧ４に属する。したがって、♯８の下りバースト領域１０１ｅは、図１０に示されるように、４つのサブチャネルで構成されたメジャーグループのみを占めるように割り当てられている。
【００７３】
♯９の下りバースト領域１０１ｅでは、ｒ４及びｒ１０ともに零であるため、♯８の下りバースト領域１０１ｅはバーストグループＧ４，Ｇ１０に属する。バーストグループＧ４，Ｇ１０では、バーストグループＧ１０の方が、対応する参照値の値が大きいため、♯９の下りバースト領域１０１ｅは、図１０に示されるように、１０個のサブチャネルで構成された２つのメジャーグループのみを占めるように割り当てられている。
【００７４】
以上のように、本実施の形態では、余りｒ４，ｒ６，ｒ１０のうち、値が零となる余りが存在する場合には、つまり、複数の参照値（“４”、“６”及び“１０”）のうちのある参照値であって、必要スロット数Ｎｓｌｏｔを当該ある参照値で除算したときの余りが零となる参照値が複数の参照値の間で存在する場合には、複数のメジャーグループのうち、当該余りが零となる参照値と同じ数のサブチャネルで構成された少なくとも一つのメジャーグループだけを占めるように下りバースト領域１０１ｅを下りサブフレーム１０１内に割り当てている。したがって、下りバースト領域１０１ｅを構成する複数のスロットのすべてを使用して、ユーザデータを送信することができる。
【００７５】
例えば、Ｎｓｌｏｔ＝４２の場合、ｒ６＝０となることから、下りバースト領域１０１ｅは、６つのサブチャネルで構成されたメジャーグループを占めるように割り当てられる。このとき、必要スロット数Ｎｓｌｏｔと、下りバースト領域１０１ｅを構成する複数のスロットの数とを一致させることができることから、図１１に示されるように、下りバースト領域１０１ｅを構成する複数のスロット４００は、すべてユーザデータの送信に使用されることになる。なお、図１１では、ユーザデータの送信に使用されるスロット４００を斜線の四角形で示している。後述の図１２〜１６も同様である。
【００７６】
これに対して、Ｎｓｌｏｔ＝４２の場合に、４つのサブチャネルで構成されたメジャーグループを占めるように下りバースト領域１０１ｅを割り当てると、図１２に示されるように、下りバースト領域１０１ｅを構成する複数のスロット４００には、ユーザデータの送信に使用されないスロット４００（斜線の無い四角形）が２つ存在することになる。また、Ｎｓｌｏｔ＝４２の場合に、１０個のサブチャネルで構成された２つのメジャーグループを占めるように下りバースト領域１０１ｅを割り当てると、図１３に示されるように、下りバースト領域１０１ｅを構成する複数のスロット４００には、ユーザデータの送信に使用されないスロット４００が８つ存在することになる。
【００７７】
このように、必要スロット数Ｎｓｌｏｔを、それ自身の値で除算したときの余りが零となるような参照値と同じ数のサブチャネルで構成された少なくとも一つのメジャーグループだけを占めるように下りバースト領域１０１ｅを下りサブフレーム１０１内に割り当てることによって、下りバースト領域１０１ｅを構成する複数のスロットのすべてを使用してユーザデータを送信することができる。その結果、無線リソースを効率的に利用できる。
【００７８】
また、本実施の形態では、余りｒ４，ｒ６，ｒ１０のいずれもが零とならない場合には、 “４−ｒ４”、“６−ｒ６”及び“１０−ｒ１０”のうちで最も小さい値を特定し、その値に対応した参照値と同じ数のサブチャネルで構成された少なくとも一つのメジャーグループだけを占めるように下りバースト領域１０１ｅを下りサブフレーム１０１内に割り当ている。つまり、本実施の形態では、複数の参照値のうちのある参照値であって、必要スロット数Ｎｓｌｏｔを当該ある参照値で除算したときの余りが零となる参照値が複数の参照値の間で存在しない場合には、複数の参照値のうちのある参照値であって、必要スロット数Ｎｓｌｏｔを当該ある参照値で除算したときの余り（ｒ４、ｒ６、ｒ１０）を当該ある参照値の値から差し引いて得られる値（“４−ｒ４”、“６−ｒ６”、“１０−ｒ１０”）が複数の参照値の間で最も小さくなる参照値と同じ数のサブチャネルで構成された少なくとも一つのメジャーグループだけを占めるように下りバースト領域１０１ｅを下りサブフレーム１０１内に割り当てている。これにより、下りバースト領域１０１ｅを構成する複数のスロットのうちユーザデータの送信に使用されないスロットの数を低減することができる。
【００７９】
例えば、Ｎｓｌｏｔ＝４１の場合、“４−ｒ４”、“６−ｒ６”及び“１０−ｒ１０”のうち“６−ｒ６”が最も小さくなることから、下りバースト領域１０１ｅは、６つのサブチャネルで構成されたメジャーグループを占めるように割り当てられる。このとき、図１４に示されるように、下りバースト領域１０１ｅを構成する複数のスロット４００のうち、ユーザデータに使用されないスロット４００を一つだけにすることができる。
【００８０】
これに対して、Ｎｓｌｏｔ＝４１の場合に、４つのサブチャネルで構成されたメジャーグループを占めるように下りバースト領域１０１ｅを割り当てると、図１５に示されるように、下りバースト領域１０１ｅを構成する複数のスロット４００には、ユーザデータの送信に使用されないスロット４００（斜線の無い四角形）が３つ存在することになる。また、Ｎｓｌｏｔ＝４１の場合に、１０個のサブチャネルで構成された２つのメジャーグループを占めるように下りバースト領域１０１ｅを割り当てると、図１３に示されるように、下りバースト領域１０１ｅを構成する複数のスロット４００には、ユーザデータの送信に使用されないスロット４００が９つ存在することになる。
【００８１】
このように、必要スロット数Ｎｓｌｏｔを、それ自身の値で除算したときの余りをそれ自身の値から差し引いて得られる値が複数の参照値の間で最も小さくなるような参照値と同じ数のサブチャネルで構成された少なくとも一つのメジャーグループだけを占めるように下りバースト領域１０１ｅを割り当てることによって、下りバースト領域１０１ｅを構成する複数のスロットのうちユーザデータの送信に使用されないスロットの数を抑えることができる。
【００８２】
また、本実施の形態では、余りｒ４，ｒ６，ｒ１０のうち零となるものが複数存在する場合には、それらに対応する参照値のうち最も大きいものと同数のサブチャネルで構成された少なくとも一つのメジャーグループだけを占めるように下りバースト領域１０１ｅを割り当てるため、時間−サブチャネル平面上での下りバースト領域１０１ｅの時間方向の長さを抑えることができる。
【００８３】
また、本実施の形態では、余りｒ４，ｒ６，ｒ１０のいずれもが零とならない場合には、“４−ｒ４”、“６−ｒ６”及び“１０−ｒ１０”のうちで最も小さい値を特定し、その最も小さい値が複数存在する際には、それらに対応する参照値のうち最も大きいものと同数のサブチャネルで構成された少なくとも一つのメジャーグループだけを占めるように下りバースト領域１０１ｅを割り当てるため、時間−サブチャネル平面上での下りバースト領域１０１ｅの時間方向の長さを抑えることができる。
【００８４】
図１７は、一の下りバースト領域１０１ｅを、参照値“４”と同じ数のサブチャネルで構成される３番のメジャーグループを占めるように割り当てた様子と、参照値“６”と同じ数のサブチャネルで構成される０番のメジャーグループを占めるように割り当てた様子とを示す図である。図１７に示されるように、下りバースト領域１０１ｅを、参照値“６”と同じ数のサブチャネルで構成されるメジャーグループを占めるように割り当てた場合の方が、参照値“４”と同じ数のサブチャネルで構成されるメジャーグループを占めるように割り当てた場合よりも、当該下りバースト領域１０１ｅの時間方向の長さが短くなる。これは、下りバースト領域１０１ｅを、参照値“６”と同じ数のサブチャネルで構成されるメジャーグループを占めるように割り当てる方が、サブチャネル方向に並べられるスロット４００の数が多くなるからである。
【００８５】
このように、下りバースト領域１０１ｅの時間方向の長さを抑制することによって、当該下りバースト領域１０１ｅに対して時間方向で隣り合って他の下りバースト領域１０１ｅを割り当てやすくなる。その結果、一つの下りサブフレーム１０１内に複数の下りバースト領域１０１ｅを効率よく割り当てることができる。
【００８６】
なお、「複数の参照値のある参照値であって、必要スロット数を当該ある参照値で除算した値が零となる参照値」とは、「複数の参照値のうちのある参照値であって、当該ある参照値の倍数値が必要スロット数と一致する参照値」と同義である。例えば、Ｎｓｌｏｔ＝４２の場合、「複数の参照値のある参照値であって、必要スロット数を当該ある参照値で除算した値が零となる参照値」は“６”となり、「複数の参照値のうちのある参照値であって、当該ある参照値の倍数値が必要スロット数と一致する参照値」も“６”となる。したがって、「複数の参照値のある参照値であって、必要スロット数を当該ある参照値で除算した値が零となる参照値が複数の参照値の間で存在する場合」と、「複数の参照値のある参照値であって、当該ある参照値の倍数値が必要スロット数と一致する参照値が複数の参照値の間で存在する場合」とは同義であり、「複数の参照値のある参照値であって、必要スロット数を当該ある参照値で除算した値が零となる参照値が複数の参照値の間で存在しない場合」と、「複数の参照値のある参照値であって、当該ある参照値の倍数値が必要スロット数と一致する参照値が複数の参照値の間で存在しない場合」と同義である。また、「複数の参照値のある参照値であって、必要スロット数を当該ある参照値で除算した値が零となる参照値が複数存在する場合」と、「複数の参照値のある参照値であって、当該ある参照値の倍数値が必要スロット数と一致する参照値が複数存在する場合」とは同義である。
【００８７】
また、 「複数の参照値のうちのある参照値であって、必要スロット数を当該ある参照値で除算したときの余りを当該ある参照値の値から差し引いて得られる値が複数の参照値の間で最も小さくなる参照値」は、「複数の参照値のうちのある参照値であって、必要スロット数よりも大きくかつそれに最も近い当該ある参照値の倍数値と、当該必要スロット数Ｎｓｌｏｔとの差が複数の参照値の間で最も小さくなる参照値」と同義である。例えば、Ｎｓｌｏｔ＝４１の場合、“４−ｒ４”、“６−ｒ６”及び“１０−ｒ１０”のうち“６−ｒ６”が最も小さい値となり、「複数の参照値のうちのある参照値であって、必要スロット数を当該ある参照値で除算したときの余りを当該ある参照値の値から差し引いて得られる値が複数の参照値の間で最も小さくなる参照値」は“６”となる。これに対して、Ｎｓｌｏｔ＝４１の場合、必要スロット数Ｎｓｌｏｔよりも大きくかつそれに最も近い“４”の倍数値は“４４”、必要スロット数Ｎｓｌｏｔよりも大きくかつそれに最も近い“６”の倍数値は“４２”、必要スロット数Ｎｓｌｏｔよりも大きくかつそれに最も近い“１０”の倍数値は“５０”となる。そして、参照値“４”について“４４”を必要スロット数Ｎｓｌｏｔで差し引いて得られる値は“３”、参照値“６”について“４２”を必要スロット数Ｎｓｌｏｔで差し引いて得られる値は“１”、参照値“１０”について“５０”を必要スロット数Ｎｓｌｏｔで差し引いて得られる値は“９”となる。したがって、Ｎｓｌｏｔ＝４１の場合、「複数の参照値のうちのある参照値であって、必要スロット数よりも大きくかつそれに最も近い当該ある参照値の倍数値と、当該必要スロット数Ｎｓｌｏｔとの差が複数の参照値の間で最も小さくなる参照値」は“６”となる。よって、「複数の参照値のうちのある参照値であって、必要スロット数を当該ある参照値で除算したときの余りを当該ある参照値の値から差し引いて得られる値が複数の参照値の間で最も小さくなる参照値が複数存在する場合」と、「複数の参照値のうちのある参照値であって、必要スロット数よりも大きくかつそれに最も近い当該ある参照値の倍数値と、当該必要スロット数Ｎｓｌｏｔとの差が複数の参照値の間で最も小さくなる参照値が複数存在する場合」と同義である。本実施の形態では、バースト領域割り当て部１６は、“４−ｒ４”、“６−ｒ６”及び“１０−ｒ１０”を求めていたが、その代わりに、複数の参照値のそれぞれについて、必要スロット数Ｎｓｌｏｔよりも大きくかつそれに最も近い倍数値を求め、求めた倍数値と必要スロット数Ｎｓｌｏｔとの差を求めても良い。この場合には、当該差が複数の参照値の間でもっとも小さい参照値を特定し、特定した参照値と同じ数のサブチャネルで構成された少なくとも一つのメジャーグループを占めるように下りバースト領域１０１ｅを割り当てる。
【００８８】
また、本実施の形態では、複数の参照値として、“４”、“６”及び“１０”の組み合わせを採用したが、それぞれが、一つのメジャーグループを構成するサブキャリアあるいは番号が連続する複数のメジャーグループを構成するサブキャリアの数と一致し、かつ互いに異なった値となるように定められた複数の参照値であれば、複数の参照値の組み合わせは他のものでも良い。つまり、ＦＦＴサイズが１０２４の場合には、複数の参照値の組み合わせとして、“４”、“６”、“１０”、“１４”、“１６”、“２０”、“２４”、“２６”及び“３０”のうちの任意の２種類以上の値の組み合わせを採用することができる。
【図面の簡単な説明】
【００８９】
【図１】本発明の実施の形態に係る無線通信システムの構成を示す図である。
【図２】本発明の実施の形態に係る基地局の構成を示す図である。
【図３】モバイルＷＩＭＡＸでのフレーム構成例を示す図である。
【図４】メジャーグループの構成例を示す図である。
【図５】本発明の実施の形態に係るバースト領域割り当て部の動作を示すフローチャートである。
【図６】下りバースト領域の割り当て例を示す図である。
【図７】下りバースト領域の割り当て例を示す図である。
【図８】下りバースト領域の割り当て例を示す図である。
【図９】９つの下りバースト領域を割り当てる際の各計算値を示す図である。
【図１０】９つの下りバースト領域の割り当て例を示す図である。
【図１１】下りバースト領域を構成するスロットの様子を例示する図である。
【図１２】下りバースト領域を構成するスロットの様子を例示する図である。
【図１３】下りバースト領域を構成するスロットの様子を例示する図である。
【図１４】下りバースト領域を構成するスロットの様子を例示する図である。
【図１５】下りバースト領域を構成するスロットの様子を例示する図である。
【図１６】下りバースト領域を構成するスロットの様子を例示する図である。
【図１７】下りバースト領域の割り当て例を示す図である。
【符号の説明】
【００９０】
１  基地局
２  通信端末
１２  無線送信部
１４  データ処理部
１６  バースト領域割り当て部
１０１  下りサブフレーム
１０１ｅ  下りバースト領域
４００  スロット
【図１】
2010154065.tif 000003
【図２】
2010154065.tif 000004
【図３】
2010154065.tif 000005
【図４】
2010154065.tif 000006
【図５】
2010154065.tif 000007
【図６】
2010154065.tif 000008
【図７】
2010154065.tif 000009
【図８】
2010154065.tif 000010
【図９】
2010154065.tif 000011
【図１０】
2010154065.tif 000012
【図１１】
2010154065.tif 000013
【図１２】
2010154065.tif 000014
【図１３】
2010154065.tif 000015
【図１４】
2010154065.tif 000016
【図１５】
2010154065.tif 000017
【図１６】
2010154065.tif 000018
【図１７】
2010154065.tif 000019
【手続補正書】
【提出日】平成21年12月1日(2009.12.1)
【手続補正１】
【補正対象書類名】特許請求の範囲
【補正対象項目名】請求項１
【補正方法】変更
【補正の内容】
【請求項１】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、
時間−サブチャネル平面上で定義される下りサブフレーム内に少なくとも一つの下りバースト領域を割り当てるバースト領域割り当て部と、
前記バースト領域割り当て部が下りサブフレーム内に割り当てた下りバースト領域を用いてデータを送信する送信部と
を備え、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
前記バースト領域割り当て部は、時間−サブチャネル平面上で下りバースト領域が矩形となるように、スロット単位かつメジャーグループ単位で当該下りバースト領域を下りサブフレーム内に割り当て、
前記バースト領域割り当て部が下りサブフレーム内に下りバースト領域を割り当てる際に使用する複数の参照値が定められており、
前記複数の参照値は、それぞれが、一つのメジャーグループを構成するサブチャネルあるいは番号が連続する複数のメジャーグループを構成するサブチャネルの数と一致し、さらに互いに異なった値となるように定められており、
前記バースト領域割り当て部は、
前記複数の参照値のうちのある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、
当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる、基地局。
【手続補正２】
【補正対象書類名】特許請求の範囲
【補正対象項目名】請求項３
【補正方法】変更
【補正の内容】
【請求項３】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、
時間−サブチャネル平面上で定義される下りサブフレーム内に少なくとも一つの下りバースト領域を割り当てるバースト領域割り当て部と、
前記バースト領域割り当て部が下りサブフレーム内に割り当てた下りバースト領域を用いてデータを送信する送信部と
を備え、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
前記バースト領域割り当て部は、時間−サブチャネル平面上で下りバースト領域が矩形となるように、スロット単位かつメジャーグループ単位で当該下りバースト領域を下りサブフレーム内に割り当て、
前記バースト領域割り当て部が下りサブフレーム内に下りバースト領域を割り当てる際に使用する複数の参照値が定められており、
前記複数の参照値は、それぞれが、一つのメジャーグループを構成するサブチャネルあるいは番号が連続する複数のメジャーグループを構成するサブチャネルの数と一致し、かつ互いに異なった値となるように定められており、
前記バースト領域割り当て部は、
前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、
当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる、基地局。
【手続補正３】
【補正対象書類名】特許請求の範囲
【補正対象項目名】請求項５
【補正方法】変更
【補正の内容】
【請求項５】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
下りバースト領域は、時間−サブチャネル平面上で矩形となるように、スロット単位かつメジャーグループ単位で下りサブフレーム内に割り当てられ、
下りサブフレーム内に下りバースト領域が割り当てられる際に使用される複数の参照値が定められており、
前記複数の参照値は、それぞれが、一つのメジャーグループを構成するサブチャネルあるいは番号が連続する複数のメジャーグループを構成するサブチャネルの数と一致し、かつ互いに異なった値となるように定められており、
前記複数の参照値のうちのある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、
当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる、下りバースト領域の割り当て方法。
【手続補正４】
【補正対象書類名】特許請求の範囲
【補正対象項目名】請求項６
【補正方法】変更
【補正の内容】
【請求項６】
ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、
前記複数のサブキャリアは、複数のサブチャネルに分けられ、
前記複数のサブチャネルは、複数のメジャーグループに分けられ、
一つのサブチャネルと少なくとも一つのＯＦＤＭシンボルとでスロットが構成され、
下りバースト領域は、時間−サブチャネル平面上で矩形となるように、スロット単位かつメジャーグループ単位で下りサブフレーム内に割り当てられ、
下りサブフレーム内に下りバースト領域が割り当てられる際に使用される複数の参照値が定められており、
前記複数の参照値は、それぞれが、一つのメジャーグループを構成するサブチャネルあるいは番号が連続する複数のメジャーグループを構成するサブチャネルの数と一致し、かつ互いに異なった値となるように定められており、
前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、
当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる、下りバースト領域の割り当て方法。
【手続補正５】
【補正対象書類名】明細書
【補正対象項目名】００１０
【補正方法】変更
【補正の内容】
【００１０】
上記課題を解決するため、本発明に係る基地局は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、時間−サブチャネル平面上で定義される下りサブフレーム内に少なくとも一つの下りバースト領域を割り当てるバースト領域割り当て部と、前記バースト領域割り当て部が下りサブフレーム内に割り当てた下りバースト領域を用いてデータを送信する送信部とを備え、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、前記バースト領域割り当て部は、時間−サブチャネル平面上で下りバースト領域が矩形となるように、スロット単位かつメジャーグループ単位で当該下りバースト領域を下りサブフレーム内に割り当て、前記バースト領域割り当て部が下りサブフレーム内に下りバースト領域を割り当てる際に使用する複数の参照値が定められており、前記複数の参照値は、それぞれが、一つのメジャーグループを構成するサブチャネルあるいは番号が連続する複数のメジャーグループを構成するサブチャネルの数と一致し、さらに互いに異なった値となるように定められており、前記バースト領域割り当て部は、前記複数の参照値のうちの一のある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる。
【手続補正６】
【補正対象書類名】明細書
【補正対象項目名】００１２
【補正方法】変更
【補正の内容】
【００１２】
また、本発明に係る基地局は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局であって、時間−サブチャネル平面上で定義される下りサブフレーム内に少なくとも一つの下りバースト領域を割り当てるバースト領域割り当て部と、前記バースト領域割り当て部が下りサブフレーム内に割り当てた下りバースト領域を用いてデータを送信する送信部とを備え、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、前記バースト領域割り当て部は、時間−サブチャネル平面上で下りバースト領域が矩形となるように、スロット単位かつメジャーグループ単位で当該下りバースト領域を下りサブフレーム内に割り当て、前記バースト領域割り当て部が下りサブフレーム内に下りバースト領域を割り当てる際に使用する複数の参照値が定められており、前記複数の参照値は、それぞれが、一つのメジャーグループを構成するサブチャネルあるいは番号が連続する複数のメジャーグループを構成するサブチャネルの数と一致し、かつ互いに異なった値となるように定められており、前記バースト領域割り当て部は、前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる。
【手続補正７】
【補正対象書類名】明細書
【補正対象項目名】００１４
【補正方法】変更
【補正の内容】
【００１４】
また、本発明に係る下りサブバースト領域の割り当て方法は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、下りバースト領域は、時間−サブチャネル平面上で矩形となるように、スロット単位かつメジャーグループ単位で下りサブフレーム内に割り当てられ、下りサブフレーム内に下りバースト領域が割り当てられる際に使用される複数の参照値が定められており、前記複数の参照値は、それぞれが、一つのメジャーグループを構成するサブチャネルあるいは番号が連続する複数のメジャーグループを構成するサブチャネルの数と一致し、かつ互いに異なった値となるように定められており、前記複数の参照値のうちのある参照値であって、一つの下りバースト領域でデータを送信する際に必要なスロット数を当該ある参照値で除算したときの余りが零となる参照値が前記複数の参照値の間で存在する場合には、前記複数のメジャーグループのうち、当該余りが零となる参照値と同じ数のサブチャネルで構成された少なくとも一つのメジャーグループだけを占めるように当該一つの下りバースト領域を下りサブフレーム内に割り当て、当該余りが零となる参照値が前記複数の参照値の間で存在しない場合には、前記複数の参照値のうちのある参照値であって、前記必要なスロット数を当該ある参照値で除算したときの余りを当該ある参照値の値から差し引いて得られる値が前記複数の参照値の間で最も小さくなる参照値と同じ数のサブチャネルで構成された少なくとも一つのメジャーグループだけを占めるように当該一つの下りバースト領域を下りサブフレーム内に割り当てる。
【手続補正８】
【補正対象書類名】明細書
【補正対象項目名】００１５
【補正方法】変更
【補正の内容】
【００１５】
また、本発明に係る下りサブバースト領域の割り当て方法は、ＯＦＤＭ（Orthogonal Frequency Division Multiplexing）方式での複数のサブキャリアを用いて複数の通信端末と多元接続通信を行うＷｉＭＡＸ（Worldwide Interoperability for Microwave Access）での基地局における下りバースト領域の割り当て方法であって、前記複数のサブキャリアは、複数のサブチャネルに分けられ、前記複数のサブチャネルは、複数のメジャーグループに分けられ、一つのサブチャネルと少なくとも一つのＯＦＤＭシンボルとでスロットが構成され、下りバースト領域は、時間−サブチャネル平面上で矩形となるように、スロット単位かつメジャーグループ単位で下りサブフレーム内に割り当てられ、下りサブフレーム内に下りバースト領域が割り当てられる際に使用される複数の参照値が定められており、前記複数の参照値は、それぞれが、一つのメジャーグループを構成するサブチャネルあるいは番号が連続する複数のメジャーグループを構成するサブチャネルの数と一致し、かつ互いに異なった値となるように定められており、前記複数の参照値のうちのある参照値であって、当該ある参照値の倍数値が一つの下りバースト領域でデータを送信する際に必要なスロット数と一致する参照値が前記複数の参照値の間で存在する場合には、前記複数のメジャーグループのうち、当該一致する参照値と同じ数のサブチャネルで構成された少なくとも一つのメジャーグループだけを占めるように当該一つの下りバースト領域を下りサブフレーム内に割り当て、当該一致する参照値が前記複数の参照値の間で存在しない場合には、前記複数の参照値のうちのある参照値であって、前記必要なスロット数よりも大きくかつそれに最も近い当該ある参照値の倍数値と、当該必要なスロット数との差が前記複数の参照値の間で最も小さくなる参照値と同数のサブチャネルで構成された少なくとも一つのメジャーグループだけを占めるように当該一つの下りバースト領域を下りサブフレーム内に割り当てる。
【手続補正９】
【補正対象書類名】明細書
【補正対象項目名】００１６
【補正方法】変更
【補正の内容】
【００１６】
本発明によれば、それぞれが、一つのメジャーグループを構成するサブチャネルあるいは番号が連続する複数のメジャーグループを構成するサブチャネルの数と一致し、さらに互いに異なった値となるように定められた複数の参照値のうちのある参照値であって、一つの下りバースト領域でデータを送信する際に必要なスロット数を当該ある参照値で除算したときの余りが零となる参照値が複数の参照値の間で存在する場合には、複数のメジャーグループのうち、当該余りが零となる参照値と同じ数のサブチャネルで構成された少なくとも一つのメジャーグループだけを占めるように当該一つの下りバースト領域を下りサブフレーム内に割り当てている。そして、余りが零となる参照値が存在しない場合には、複数の参照値のうちのある参照値であって、必要なスロット数を当該ある参照値で除算したときの余りを当該ある参照値の値から差し引いて得られる値が複数の参照値の間で最も小さくなる参照値と同じ数のサブチャネルで構成された少なくとも一つのメジャーグループだけを占めるように当該一つの下りバースト領域を下りサブフレーム内に割り当てている。そのため、一つの下りバースト領域を構成する複数のスロットにおいて、データの送信に使用されないスロットの数を抑制できる。
【手続補正１０】
【補正対象書類名】明細書
【補正対象項目名】００１８
【補正方法】変更
【補正の内容】
【００１８】
また、本発明によれば、それぞれが、一つのメジャーグループを構成するサブチャネルあるいは番号が連続する複数のメジャーグループを構成するサブチャネルの数と一致し、かつ互いに異なった値となるように定められた複数の参照値のうちのある参照値であって、当該ある参照値の倍数値が一つの下りバースト領域でデータを送信する際に必要なスロット数と一致する参照値が複数の参照値の間で存在する場合には、複数のメジャーグループのうち、当該一致する参照値と同じ数のサブチャネルで構成された少なくとも一つのメジャーグループだけを占めるように当該一つの下りバースト領域を下りサブフレーム内に割り当てている。そして、一致する参照値が存在しない場合には、複数の参照値のうちのある参照値であって、必要なスロット数よりも大きくかつそれに最も近い当該ある参照値の倍数値と、当該必要なスロット数との差が複数の参照値の間で最も小さくなる参照値と同数のサブチャネルで構成された少なくとも一つのメジャーグループだけを占めるように当該一つの下りバースト領域を下りサブフレーム内に割り当てている。そのため、一つの下りバースト領域を構成する複数のスロットにおいて、データの送信に使用されないスロットの数を抑制できる。
【手続補正１１】
【補正対象書類名】明細書
【補正対象項目名】００４８
【補正方法】変更
【補正の内容】
【００４８】
図５はバースト領域割り当て部１６が下りサブフレーム１０１内に下りバースト領域１０１ｅを割り当てる際の当該バースト領域割り当て部１６の動作を示すフローチャートである。本実施の形態に係る無線通信システムでは、バースト領域割り当て部１６が下りバースト領域１０２ｅを下りサブフレーム１０１内に割り当てる際に使用する複数の参照値が定められている。この複数の参照値は、それぞれ、一つのメジャーグループを構成するサブチャネルあるいは番号が連続する複数のメジャーグループのサブチャネルの数と一致し、かつ互いに異なった値となるように定められている。本実施の形態では、例えば、“４”、“６”及び“１０”の３つの参照値が予めバースト領域割り当て部１６に記憶されている。参照値“４”は、例えばメジャーグループ１を構成するサブチャネルの数と一致し、参照値“６”は、例えばメジャーグループ０を構成するサブチャネルの数と一致し、参照値“１０”は、例えばメジャーグループ０，１を構成するサブチャネルの数と一致する。
【手続補正１２】
【補正対象書類名】明細書
【補正対象項目名】００８８
【補正方法】変更
【補正の内容】
【００８８】
また、本実施の形態では、複数の参照値として、“４”、“６”及び“１０”の組み合わせを採用したが、それぞれが、一つのメジャーグループを構成するサブチャネルあるいは番号が連続する複数のメジャーグループを構成するサブチャネルの数と一致し、かつ互いに異なった値となるように定められた複数の参照値であれば、複数の参照値の組み合わせは他のものでも良い。つまり、ＦＦＴサイズが１０２４の場合には、複数の参照値の組み合わせとして、“４”、“６”、“１０”、“１４”、“１６”、“２０”、“２４”、“２６”及び“３０”のうちの任意の２種類以上の値の組み合わせを採用することができる。